(57)【要約】【課題】誤操作によって掃除機本体が故障する確率を低減でき、安全性を高めることができる電気掃除機を提供する。【解決手段】本体側パイプ２は、掃除機本体の吸引口に係止する係止爪と、吸引口に対する係止爪の係止を解除するためのボタン２２と、ボタン２２の両側に設けられたリブ２９とを有する。このリブ２９の高さは、吸引口と係止爪とが係止している状態でのボタン２２の高さと同じである。これにより、使用者が不用意にボタン２２を押したときに、吸引口に対する係止爪の係止が解除されるのを防ぐことができる。【選択図】図４
2006158837.tif 000002
【特許請求の範囲】
【請求項１】
吸引ファンと、この吸引ファンを駆動するモータと、上記吸引ファンの駆動により吸引された空気が通る吸引口とを有する掃除機本体と、
上記吸引口に着脱自在に連結された本体側パイプと
を備え、
上記本体側パイプは、
上記吸引口に係止する係止部と、
上記吸引口に対する上記係止部の係止を解除するためのボタンと、
上記ボタンの両側に設けられていると共に、上記吸引口と上記係止部とが係止している状態での上記ボタンの高さ以上の高さを有するリブと
を含むことを特徴とする電気掃除機。
【請求項２】
請求項１に記載の電気掃除機において、
上記ボタンは、運転状態での上記本体側パイプの下面に設けられていることを特徴とする電気掃除機。
【請求項３】
請求項２に記載の電気掃除機において、
上記掃除機本体には、上記吸引口から吸い込んだ空気を旋回させ、上記空気中に含まれる塵埃を遠心分離するサイクロン集塵機が設けられていることを特徴とする電気掃除機。
【請求項４】
吸引力を生み出す電動送風機と、上記電動送風機の駆動により空気を吸い込むための吸引口と、上記吸引口から吸い込んだ空気を旋回させ、上記空気中に含まれる塵埃を遠心分離するサイクロン集塵機とを有する掃除機本体と、
上記吸引口に着脱自在に嵌合する本体側パイプと
を備え、
運転状態での上記本体側パイプの下面に、上記吸引口に係止する係止部と、上記吸引口に対する上記係止部の係止を解除するためのボタンとを配置して、上記サイクロン集塵機の側部の上端に上記吸引口を連結したことを特徴とする電気掃除機。
【発明の詳細な説明】
【技術分野】
【０００１】
本発明は電気掃除機に関する。
【背景技術】
【０００２】
従来、電気掃除機としては、特許文献１（特開平２−１５２４２３号公報）に開示されたものがある。この電気掃除機は、図６に示すように、吸引力を生み出す電動送風機１０７を内蔵した掃除機本体１０１と、この掃除機本体１０１の吸引口１０８に着脱自在に連結された本体側パイプ１０２と、この本体側パイプ１０２に一方の端部が挿入されて固定されたパイプ１０３とを備えている。
【０００３】
上記本体側パイプ１０２に関して、使用者が掃除機本体１０１を運転している状態（以下、「運転状態」と言う。）での上面には、本体側パイプ１０２へ向けて押圧可能なボタン１２２を設けている。このボタン１２２は、吸引口１０８の内壁に係止する係止爪（図示せず）を有している。この係止爪を吸引口１０８の内壁に係止させることにより、使用者がホース１０３を引っ張って掃除機本体１０１を移動させても、吸引口１０８から本体側パイプ１０２が離間するのを防ぐことができる。つまり、上記本体側パイプ１０２に吸引口１０８から離間する方向に力が作用しても、本体側パイプ１０２と吸引口１０８との連結を維持できる。この連結は、ボタン１２２を本体側パイプ１０２へ向けて押圧することによって解除できる。
【０００４】
しかしながら、上記従来の電気掃除機では、使用者が掃除機本体１０１を移動させるために本体側パイプ１０２を握って掃除機本体１０１を持ち上げた場合、使用者の意図に反してボタン１２２が押圧され、係止爪と吸引口１０８の内壁との係止が解除されてしまうことがある。したがって、上記掃除機本体１０１が落下して故障したり、落下した掃除機本体１０１で使用者が負傷したりする恐れがある。
【特許文献１】特開平２−１５２４２３号公報
【発明の開示】
【発明が解決しようとする課題】
【０００５】
そこで、本発明の課題は、誤操作によって掃除機本体が故障する確率を低減でき、安全性を高めることができる電気掃除機を提供することにある。
【課題を解決するための手段】
【０００６】
上記課題を解決するため、第１の発明の電気掃除機は、
吸引ファンと、この吸引ファンを駆動するモータと、上記吸引ファンの駆動により吸引された空気が通る吸引口とを有する掃除機本体と、
上記吸引口に着脱自在に連結された本体側パイプと
を備え、
上記本体側パイプは、
上記吸引口に係止する係止部と、
上記吸引口に対する上記係止部の係止を解除するためのボタンと、
上記ボタンの両側に設けられていると共に、上記吸引口と上記係止部とが係止している状態での上記ボタンの高さ以上の高さを有するリブと
を含むことを特徴としている。
【０００７】
上記構成の電気掃除機によれば、上記吸引口と係止部とが係止している状態でのボタンの高さ以上の高さを有するリブをボタンの両側に設けているので、使用者の不注意によるボタンの押圧をリブで防ぐことができる。したがって、上記吸引口への係止部の係止が使用者の意図に反して解除されず、誤操作によって掃除機本体が故障する確率を低減でき、安全性を高めることができる。
【０００８】
一実施形態の電気掃除機では、上記ボタンは、運転状態での上記本体側パイプの下面に設けられている。
【０００９】
上記実施形態の電気掃除機によれば、上記運転状態での本体側パイプの下面にボタンを設けた場合、使用者からボタンが見え難くなって、使用者の意図に反してボタンが押されてしまう可能性がある。しかし、上記リブをボタンの両側に設けているので、吸引口への係止部の係止が使用者の意図に反して解除されるのを防ぐことができる。
【００１０】
また、上記ボタンは運転状態での本体側パイプの下面に設けられているから、運転状態での本体側パイプの美観を向上させることができる。
【００１１】
一実施形態の電気掃除機では、上記掃除機本体には、上記吸引口から吸い込んだ空気を旋回させ、上記空気中に含まれる塵埃を遠心分離するサイクロン集塵機が設けられている。
【００１２】
上記実施形態の電気掃除機によれば、上記ボタンが運転状態での本体側パイプの下面に設けられているので、吸引口から掃除機本体内に流入した空気をサイクロン集塵機の側部の上端へ導くことができる。したがって、上記空気のサイクロン集塵機内での旋回距離が長くなって、その空気中に含まれる塵埃を十分に遠心分離することができる。すなわち、上記サイクロン集塵機の遠心分離による集塵効率を高めることができる。
【００１３】
第２の発明の電気掃除機は、
吸引力を生み出す電動送風機と、上記電動送風機の駆動により空気を吸い込むための吸引口と、上記吸引口から吸い込んだ空気を旋回させ、上記空気中に含まれる塵埃を遠心分離するサイクロン集塵機とを有する掃除機本体と、
上記吸引口に着脱自在に嵌合する本体側パイプと
を備え、
運転状態での上記本体側パイプの下面に、上記吸引口に係止する係止部と、上記吸引口に対する上記係止部の係止を解除するためのボタンとを配置して、上記サイクロン集塵機の側部の上端に上記吸引口を連結したことを特徴としている。
【００１４】
上記構成の電気掃除機によれば、上記運転状態での本体側パイプの下面に、吸引口に係止する係止部と、吸引口に対する係止部の係止を解除するためのボタンとを配置しているから、サイクロン集塵機の側部の上端に吸引口を連結することができている。このように、上記吸引口がサイクロン集塵機の側部の上端に連結するので、吸引口から掃除機本体内へ流入した空気はサイクロン集塵機内の空間の上部へ導かれる。したがって、上記空気のサイクロン集塵機内での旋回距離が長くなって、その空気中に含まれる塵埃を十分に遠心分離することができる。すなわち、上記サイクロン集塵機の遠心分離による集塵効率を高めることができる。
【発明の効果】
【００１５】
第１の発明の電気掃除機は、吸引口と係止部とが係止している状態でのボタンの高さ以上の高さを有するリブをボタンの両側に設けることによって、使用者の不注意によるボタンの押圧をリブで防ぐことができるから、吸引口への係止部の係止が使用者の意図に反して解除されず、誤操作によって掃除機本体が故障する確率を低減でき、安全性を高めることができる。
【００１６】
第２の発明の電気掃除機は、吸引口がサイクロン集塵機の側部の上端に連結することによって、吸引口から掃除機本体内へ流入した空気はサイクロン集塵機内の空間の上部へ導かれるから、空気のサイクロン集塵機内での旋回距離が長くなって、その空気中に含まれる塵埃を十分に遠心分離することができる。
【発明を実施するための最良の形態】
【００１７】
以下、本発明の電気掃除機を図示の実施の形態により詳細に説明する。
【００１８】
図１に、本発明の一実施の形態の電気掃除機の概略斜視図を示す。
【００１９】
上記電気掃除機は、掃除機本体１、本体側パイプ２、ホース３、手元側パイプ４、延長管５およびごみ吸込口６を備えている。
【００２０】
上記掃除機本体１は電動送風機７とサイクロン集塵機１０とを有している。この電動送風機７は、吸引ファンと、この吸引ファンを駆動するモータとから成っている。また、上記掃除機本体１には、ファンの駆動により吸引された空気が通る吸引口８が設けられている。上記吸引口８を通った空気はサイクロン集塵機１０内に流入するようになっている。
【００２１】
上記ホース３の一方の端部は本体側パイプ２内に挿入されて本体側パイプ２に固定されている。一方、上記ホース３の他方の端部は手元側パイプ４内に挿入されて手元側パイプ４に固定されている。
【００２２】
図２に、上記吸引口８を本体側パイプ２側から見た概略図を示す。
【００２３】
上記吸引口８には、手元側パイプ４の一方の端部が嵌合する吸気穴８１を有している。この吸気穴８１の縁部には、本体側パイプ２を位置決めするための当接面８３が設けられている。上記当接面８３は、運転状態での吸気穴８１の下側に位置することになる。
【００２４】
図３に、本体側パイプ２の軸方向に平行な面による本体側パイプ２，吸引口８の概略縦端面図を示す。なお、図３は、ボタン２２の押圧部２４を押圧しているときの概略端面図である。
【００２５】
運転状態での上記本体側パイプ２の下面には、本体側パイプ２へ向かって押圧可能なボタン２２が取り付けられている。このボタン２２は、使用者が押圧する押圧部２４と、吸引口８に設けられた係止穴８２の壁面に係止する係止爪２５とを有している。この係止爪２５が係止穴８２の壁面に係止することにより、本体側パイプ２が吸引口８から外れるのを防げる。なお、上記係止爪２５が係止部の一例である。
【００２６】
また、上記ボタン２２と本体側パイプ２との間には、本体側パイプ２とは反対方向へボタン２２を付勢するコイルバネ１１を配置している。このコイルバネ１１の一方の端部は、運転状態での本体側パイプ２の下面に設けられた突起部２１に嵌合する一方、コイルバネ１１の他方の端部は、ボタン２２の本体側パイプ２側の表面に設けられて突起部（図示せず）に嵌合している。このコイルバネ１１の付勢力に抗してボタン２２の押圧部２４を押圧することにより、係止穴８２の壁面に対する係止爪２５の係止が解除され、本体側パイプ２を吸引口８から外すことができる。つまり、図３に示すような状態になって、本体側パイプ２の取り外しが可能となる。
【００２７】
また、運転状態での本体側パイプ２の下面にはパイプカバー２３を取り付けている。このパイプカバー２３には大小２つの貫通穴２６，２７が設けられていて、大きい方の貫通穴２６からはボタン２２の押圧部２４が突出し、小さい方の貫通穴２７からはボタン２２の係止爪２５が突出する。上記係止爪２５の近傍には、吸引口８の当接面８３に当接すべき当接部２８が設けられている。この当接部２８が当接面８３に当接させることにより、本体側パイプ２が吸引口８の所定の場所に位置する。
【００２８】
図４に、上記本体側パイプ２の軸方向に垂直な面による本体側パイプ２の概略縦端面図を示す。
【００２９】
上記パイプカバー２３には、ボタン２２の両側に位置するリブ２９を設けている。上記パイプカバー２３に対するリブ２９の高さは、パイプカバー２３に対するボタン２２の押圧されていない状態の高さと同じである。言い換えると、運転状態では、リブ２９の最下面と、押圧されていないボタン２２の最下面とは同一平面に含まれる。
【００３０】
図５に、上記掃除機本体１の要部の概略構成図を示す。
【００３１】
上記サイクロン集塵機１０は、掃除機本体１に着脱可能に設けられたダストカップ１２と、このダストカップ１２内に一部が挿入され、ダストカップ１２内の空気を排気する排気筒１３とを有している。
【００３２】
上記ダストカップ１２の側部の上端には吸引口８が連結されている。そして、上記ダストカップ１２内では、図５中の太矢印で示すように、電動送風機７の駆動により吸引口８から吸い込まれた空気が高速旋回する。これにより、上記空気から塵埃が遠心分離されてダストカップ１２内に集積する。
【００３３】
上記排気筒１３は、図５中の細矢印で示すように、上記塵埃が除去された空気をダストカップ１２外に排出するための筒である。上記排気筒１３の周面には複数の開口部（図示せず）が形成されている。これらの開口部は、上記空気に含まれる細かい塵埃を除去するためのメッシュ状のフィルタ（図示せず）で被覆されている。
【００３４】
上記構成の電気掃除機によれば、係止爪２５が係止穴８２の壁面に係止している状態でのボタン２２の高さと同じ高さのリブ２９をボタン２２の両側に設けているので、使用者の不注意によるボタン２２の押圧をリブ２９で防ぐことができる。したがって、上記係止穴８２の壁面への係止爪２５の係止が使用者の意図に反して解除されず、誤操作によって掃除機本体１が故障する確率を低減でき、安全性を高めることができる。
【００３５】
また、上記運転状態での本体側パイプ２の下面にボタンを設けた場合、使用者からボタン２２が見え難くなって、使用者の意図に反してボタン２２が押されてしまう可能性があるが、リブ２９をボタン２２の両側に設けているので、係止穴８２の壁面への係止爪２５の係止が使用者の意図に反して解除されるのを防ぐことができる。
【００３６】
また、上記ダストカップ１２の側部の上端には吸引口８が連結されているから、吸引口８からサイクロン集塵機１０へ向かう空気はダストカップ１２内の空間の上部へ導かれる。その結果、上記空気のダストカップ１２内での旋回距離が長くなって、その空気中に含まれる塵埃を十分に遠心分離することができる。すなわち、上記サイクロン集塵機１０の遠心分離による集塵効率を高めることができる。
【００３７】
上記実施の形態では、係止爪２５が係止穴８２の壁面に係止している状態でのボタン２２の高さと同じ高さのリブ２９をボタン２２の両側に設けていたが、
係止爪２５が係止穴８２の壁面に係止している状態でのボタン２２の高さよりも高いリブ２９をボタン２２の両側に設けてもよい。
【図面の簡単な説明】
【００３８】
【図１】図１は本発明の一実施の形態の電気掃除機の概略斜視図である。
【図２】図２は上記電気掃除機の吸引口の概略正面図である。
【図３】図３は上記電気掃除機の本体側パイプの概略縦端面図である。
【図４】図４は上記電気掃除機の本体側パイプの概略縦断面図である。
【図５】図５は上記電気掃除機の掃除機本体の要部の概略構成図である。
【図６】図６は従来の電気掃除機の要部の概略側面図である。
【符号の説明】
【００３９】
１  本体
２  本体側パイプ
３  ホース
４  手元側パイプ
５  延長管
６  ごみ吸込口
７  電動送風機
８  吸引口
１０  サイクロン集塵機
２２  ボタン
２５  係止爪
２９  リブ
【図１】
2006158837.tif 000003
【図２】
2006158837.tif 000004
【図３】
2006158837.tif 000005
【図４】
2006158837.tif 000006
【図５】
2006158837.tif 000007
【図６】
2006158837.tif 000008